(57)【特許請求の範囲】
【請求項１】
電子黒板、ホワイトボード、スクリーンボードの機能のうちの複数の機能を併有していてプロジェクターを吊持するためのハンガーを備えた多機能ボードであって、
前記多機能ボードは、壁面に固定された黒板の上辺及び下辺に沿って敷設されたレールに沿って移動可能であり、前記ハンガーは、前記プロジェクターを吊持するプロジェクター吊持具を有するアームを介し、前記プロジェクターが、上下方向及び／又は前後方向に移動し且つ所望の方向に向けて回動し得るように吊持し、以て、前記プロジェクターを映写に好適な位置に移動させ且つ好適な向きに向けることを可能にしたことを特徴とする多機能ボード。
【請求項２】
前記プロジェクター吊持具は、前記アームを進入させることによって前記アームに取り付けられるスライド枠と、前記スライド枠に垂直方向に向くように付設される摺動支持筒と、前記摺動支持筒内に摺動可能に挿入される吊持軸と、前記吊持軸の下端に取り付けられて前記吊持軸と直交方向にスライドするスライド棒と、前記スライド棒に吊持されるプロジェクター固定板とから成る、請求項１に記載の多機能ボード。
【請求項３】
前記プロジェクター固定板は、パンチングメタルである、請求項２に記載の多機能ボード。
【請求項４】
前記アームは、そのプロジェクター吊持側と反対側の端部にバランスウエイトを備える、請求項１乃至３のいずれかに記載の多機能ボード。
【請求項５】
前記多機能ボードはその下辺にパソコン台を備える、請求項１乃至４のいずれかに記載の多機能ボード。
【発明の詳細な説明】
【技術分野】
【０００１】
本発明は、多機能ボードに関するものであり、より詳細には、電子黒板、ホワイトボード、スクリーンボード等の各種ボードの機能のうちの複数を併有していて、プロジェクターを映写に好適な位置に配備するためのハンガーを備えた多機能ボードに関するものである。
【背景技術】
【０００２】
従来、学校等の教育関連施設や病院等の公共施設、あるいは、企業等においては、ホワイトボ―ドやスクリーン面等の投影表示面に映像等の情報の投写を行うに当たり、多くの場合、天井や壁等の黒板以外の場所にプロジェクターを固定している。そのため、その投写作業に先立ち、プロジェクターを固定するための各種の吊り下げ固定装置を設置し、あるいは、その都度黒板の前面に机等の設置台を準備することが必要となっていた。
【０００３】
本願出願人は、従来必要であったこれらの工事や作業を省略して使用環境の改善を図るため、プロジェクターハンガーを黒板やホワイトボ―ド板に直に装着する方法を提案している（特願２００７−２９１７３６並びに特願２００７−２９１８２６）。それらは、通常の固定型黒板や移動スタンド型黒板に対し、その前面上に、左右にスライドさせて位置調整をすることができる、電子黒板やホワイトボ―ド等の可動副ボードを配設し、その可動副ボードに直接、一体にプロジェクターハンガーを装着するようにしたものである。
【０００４】
しかるに、上記提案に係るものの場合、プロジェクターは固定状態に配設されていて、最適な状態にて映写するために、電子黒板等の映写される盤面に対するプロジェクターの高さ位置、傾斜角度、前後方向の位置、旋回角度等の調節を任意になし得ない構造となっている。そのため、プロジェクター不使用時の収納や、使用時の上方向又は斜め方向からの投影などを含み、使用者が望ましいと思う投影方向にプロジェクターを向けるために、アームの操作をすることができず、使用者にとっての不便を囲う等の問題があった。
【先行技術文献】
【特許文献】
【０００５】
【特許文献１】特願２００７−２９１７３６
【特許文献２】特願２００７−２９１８２６
【発明の概要】
【発明が解決しようとする課題】
【０００６】
本発明は、従来技術における上述した問題点を解決すべくなされたもので、プロジェクターの使用者が、プロジェクターを映写に好適な状態に配置するために、電子黒板等の映写される盤面に対するプロジェクターの高さ位置、傾斜角度、前後方向の位置、旋回角度等の調節を任意に行うことができて、使用者の利便性を飛躍的に高めることができ、プロジェクター不使用時の収納にも至便であり、また、新規設置の場合に限らず、既存の黒板等の補修時等の機会においても、容易に据付設置工事が可能で、既存の黒板等の機能を拡大し得る多機能ボードを提供することを課題とする。
【課題を解決するための手段】
【０００７】
上記課題を解決するための請求項１に記載の発明は、電子黒板、ホワイトボード、スクリーンボードの機能のうちの複数の機能を併有していてプロジェクターを吊持するためのハンガーを備えた多機能ボードであって、前記多機能ボードは、壁面に固定された黒板の上辺及び下辺に沿って敷設されたレールに沿って移動可能であり、前記ハンガーは、前記プロジェクターを吊持するプロジェクター吊持具を有するアームを介し、前記プロジェクターが、上下方向及び／又は前後方向に移動し且つ所望の方向に向けて回動し得るように吊持し、以て、前記プロジェクターを映写に好適な位置に移動させ且つ好適な向きに向けることを可能にしたことを特徴とする多機能ボードである。
【０００８】
一実施形態においては、前記プロジェクター吊持具は、前記アームを進入させることによって前記アームに取り付けられるスライド枠と、前記スライド枠に垂直方向に向くように付設される摺動支持筒と、前記摺動支持筒内に摺動可能に挿入される吊持軸と、前記吊持軸の下端に取り付けられて前記吊持軸と直交方向にスライドするスライド棒と、前記スライド棒に吊持されるプロジェクター固定板とから成る。そして、前記プロジェクター固定板として、パンチングメタルが用いられる。
【０００９】
また、一実施形態においては、前記アームは、そのプロジェクター吊持側と反対側の端部にバランスウエイトを備え、更に一実施形態においては、前記多機能ボードはその下辺にパソコン台を備える。
【発明の効果】
【００１０】
本発明は上述したとおりであって、本発明に係る多機能ボード用プロジェクターハンガー及びそれを備えた多機能ボードによれば、プロジェクターの使用者が、最適な状態にて映写するために、映写ボード面に対するプロジェクターの高さ位置、傾斜角度、前後方向の位置、旋回角度等の調節を任意に行うことができて、使用者の利便性を飛躍的に高めることができ、また、移動式多機能ボードの使用場所変更時や不使用時におけるプロジェクターの収納にも至便なる効果がある。
【発明を実施するための形態】
【００１１】
以下に、本発明を実施するための形態について、図面に依拠して説明する。本発明に係る多機能ボード６は、電子黒板、ホワイトボード、スクリーンボードの機能のうちの複数の機能を併有していて、プロジェクター３を吊持するためのハンガーを備えたものである。多機能ボード６は、壁面に固定された黒板４１の上辺及び下辺に沿って敷設されたレール４２、４３に沿って移動可能に設置される。図１において多機能ボード６の上下部分に＊を付した部分は、レール４２、４３に係合するローラーの設置位置を示す。
【００１２】
ハンガーは、プロジェクター３を吊持するプロジェクター吊持具２１を有するアーム１を有していて、このアーム１を介し、プロジェクター３が、上下方向及び／又は前後方向に移動し且つ所望の方向に向けて回動し得るように吊持する。かくして、プロジェクター３を、映写に好適な位置に移動させ且つ好適な向きに向けて支持することが可能となる。
【００１３】
好ましくは、アーム１は、多機能ボード６に対してそれ自体が旋回可能に軸支される。そのためには、例えば、多機能ボード６の上辺にパイプ状の軸支筒９が設置され、軸支筒９内に短パイプ状の摺動支持環１０が嵌め込まれ、摺動支持環１０内に、アーム１の一端部に垂設された旋回軸１１が摺動回転可能に挿入される（図２参照）。図２における符号１７は、軸支筒９の外側からねじ込んで、旋回軸１１の動きを制止させるための止めネジである。
【００１４】
アーム１と旋回軸１１とを安定的に結合させるために、また、先端部においてプロジェクター３を吊持することになるアーム１の揺動緩和及び撓み防止のために、アーム１と旋回軸１１との間に斜めに方杖材１２を配することが好ましい。また、同じくア−ム１の揺動緩和と撓み防止のために、軸支筒９の上部に、Ｌ型受け材１４を取り付けた外装筒１３が被装されることもある。このＬ型受け材１４の垂直部の上端には、上方から高さ調節ネジ１５がねじ込まれる。この高さ調節ネジ１５は、上下に移動するアーム１の動きに対応させて螺進又は螺退させることで、常にアーム１に当接してこれを受けることができるようにされる。
【００１５】
更に好ましくは、アーム１に加わる応力を分散させるために、アーム１にパイプ材１６が被装され、高さ調節ネジ１５の頭面が、この応力分散用パイプ材１６に当接するようにされる。
【００１６】
軸支筒９の上面には、旋回軸１１を抱持するようにして、下から順に座金１８、ワッシャー１９、アーム荷重受け座金２０が配置される。この構成により、旋回軸１１の軸芯方向に働く荷重が面方向に分散し、以て旋回軸１１の回転方向の摺動力が平均化して操作性が向上する。
【００１７】
上記構成とすることによりアーム１は、止めネジ１７を緩めた状態において、その旋回軸１１を軸に、外装筒１３と共に旋回可能となり、その旋回動作はＬ型受け材１４（及び方杖材１２）によって支持され、同時にその揺動や撓みが防止される。また、旋回軸１１を軸支筒９に対して上下動させて、アーム1の高さ位置を変更することができる。その場合の旋回軸１１の旋回及び昇降動作は、手動によることとしてもよいし、シリンダー、モーター等を用いての機械的操作によることとしてもよい。  
【００１８】
アーム１に対するプロジェクター３の取り付けは、プロジェクター吊持具２１を介して行う。例えば、プロジェクター吊持具２１は、アーム１を進入させることによってアーム１に設置されるスライド枠２２と、垂直方向に向けてスライド枠２２に付設される摺動支持筒２３と、摺動支持筒２３内に摺動可能に挿入される吊持軸２４と、吊持軸２４の下端に取り付けられて吊持軸２４と直交方向にスライドするスライド棒２５と、スライド棒２５に吊持されるプロジェクター固定板２６とで構成される。プロジェクター固定板２６としては、あらゆるメーカーのプロジェクターに対応可能となるという意味において、パンチングメタルを用いることが好ましい。  
【００１９】
アーム１はスライド枠２２内を摺動可能、換言すれば、スライド枠２２はアーム１に沿って移動可能とされる。このスライド枠２２の移動は、固定ネジ２７を緩めることにより行うことができ、また、吊持軸２４の摺動は、摺動支持筒２３にねじ込まれた固定ネジ２８を緩めることにより行うことができる。スライド棒２５は、フレキシブルクランプ２９を介して吊持軸２４の下端部に取り付けられる。フレキシブルクランプ２９は、２軸を所望の角度にして連結し得る金具であり、垂直状態の吊持軸２４に対してスライド棒２５を水平状態、あるいは、任意の傾斜状態にすることが可能である。  
【００２０】
以上の構成によりプロジェクター３は、固定ネジ２７を緩めてスライド枠２２を移動させることによりアーム１の長さ方向に移動可能であり、固定ネジ２８を緩めて吊持軸２４を移動させることにより上下方向に移動可能である。また、プロジェクター３はプロジェクター固定板２６を介してスライド棒２５に連結されているので、フレキシブルクランプ２９の締め付けネジを緩めてスライド棒２５の角度を変更することにより、プロジェクター３の傾斜角度を任意に設定することができ、以て、旋回軸１１を旋回させることと相俟って、プロジェクター３を映写に最適な位置及び角度に配置することが可能となり、しかも、その操作は容易なものである。  
【００２１】
プロジェクター吊持具２１としては、上記の他に、吊持軸２４とスライド棒２５とを自在軸継手（ユニバーサルジョイント）を介して連結する構成、あるいは、スライド棒２５を省略し、吊持軸２４に自在軸継手を介して直接プロジェクター３（又はプロジェクター固定板２６）を連結する構成も考えられる。この自在軸継手を用いた構成の場合は、プロジェクター３の首振り動作の自由性がより高まる。  
【００２２】
多機能ボード１には、適宜折り畳み収納可能にしたパソコン台３１が設置される（図３参照）。また、黒板４１の上辺部及び／又は下辺部、あるいは、側辺部の沿面等にスライドコンセントを設置することが好ましい。このスライドコンセントは、導電レールを内設した絶縁レールに対し、導電レールに摺接する導電端子を有する絶縁プラグを係合させたもので、絶縁プラグを絶縁レールに沿って任意の位置にずらし動かして使用することができる（図４参照）。このスライドコンセントを配設することにより、電源コード類が散乱して見苦しくなることを回避することができ、また、適宜照明器具を設置したりすることもでき、周辺の安全性を向上させることが可能となる。  
【００２３】
なお、アーム１のプロジェクター吊持側と反対側の端部に、バランスウエイトを垂下させることもある。そのようにした場合は、上述したアーム１の揺動現象を一層減少させることが可能となる。  
【００２４】
黒板４１には平面黒板と曲面黒板とがある。平面黒板及び平面ＵＤ黒板の場合は、摺動支持筒９（旋回軸１１）は多機能ボード１の裏面上方に取り付ければよいが、曲面黒板の場合は、黒板４１の端部において摺動支持筒９が黒板４１に接触するおそれがある。図３は、その接触を避けるための構成例を示すもので、その場合多機能ボード１の裏面にアーム支柱材４６が固定され、このアーム支柱材４６に取り付けた連結金具４５にローラー４４が設置される。また、アーム支柱材４６にブラケット４７を介してアーム１の軸支筒９が固定される。かくして摺動支持筒９は、多機能ボード１の上方において黒板４１から離隔された位置に配置されるため、黒板４１の端部に移動した際に、黒板４１に接触することがなくなる。  
【００２５】
この実施形態は、新設の場合だけでなく、既設黒板の改修に際しても適用可能である。即ち、既設黒板４１の表面側の上辺及び下辺にレール４２、４３を敷設し、そこにアーム支柱材４６を組み付け、アーム支柱材４６に、多機能ボード１とプロジェクターハンガーとを固定する。  
【００２６】
上記いずれの実施形態においても、多機能ボード１をレール４２、４３に沿って横移動させて、黒板４１と多機能ボード１とを使い分けることができる。プロジェクター３を吊持したプロジェクターハンガーは、映写面となる多機能ボード１の移動に追随して移動する。プロジェクター３の使用時には、旋回軸１１を旋回させたり、プロジェクター３の高さ位置及び向きの調整をしたりして、プロジェクター３を映写に最適な位置及び向きに配置する。  
【００２７】
なお、黒板には、複数の筆記面を有するものとして、上げ下げ式黒板や引き分け式黒板があるが、本発明に係るプロジェクターハンガーは、これらの構成の場合にも適用可能である。上げ下げ式黒板の場合は、上下動する側のボードに本発明に係るプロジェクターハンガーを備えた多機能ボード１を設置することとする（図１参照）。
【００２８】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２９】
【図１】本発明に係る多機能ボードの一実施形態の概略正面図である。
【図２】本発明に係る多機能ボードの一実施形態の要部縦断面図である。
【図３】本発明に係る多機能ボードの他の実施形態の要部縦断面図である。
【図４】本発明に係る多機能ボードに付設されることのあるスライドコンセントの構成を示す図である。
【符号の説明】
【００３０】
１    アーム
３    プロジェクター
６    多機能ボード
９    軸支筒
１０    摺動支持環
１１    旋回軸
１４    Ｌ型受け材
１５    高さ調節ネジ
１７    止めネジ
２１    プロジェクター吊持具
２２    スライド枠
２３    摺動支持筒
２４    吊持軸
２５    スライド棒
２６    プロジェクター固定板
２７    固定ネジ
２８    固定ネジ
２９    フレキシブルクランプ
３１    パソコン台
４１    黒板
４２    レール
４３    レール
４４    ローラー
４５    連結金具
４６    アーム支柱材
４７    ブラケット
【図１】
0005349030.tif 000002
【図２】
0005349030.tif 000003
【図３】
0005349030.tif 000004
【図４】
0005349030.tif 000005